(57)【要約】【課題】通信回線を利用して、高齢者に負担をかけずに高齢者の状態を把握することができ、依頼者がいつでも高齢者の状況を把握することができる高齢者安否確認システムを提供することを目的とする。【解決手段】高齢者安否確認システムは、高齢者宅に設置される室内端末と、高齢者の安否確認を依頼した複数の依頼者用の端末と、高齢者の安否確認を行うセンターに設置されるセンター端末とが通信回線を介して双方向通信可能に接続され、センター端末と室内端末とでは、お互いの画像を見ながら通話ができ、その通信記録が通話毎に通話記録データベースに保存される。依頼者用端末は、通話記録データベースにアクセスして通信記録を閲覧することができる。【選択図】図１
2014016662.tif 000002
【特許請求の範囲】
【請求項１】
複数の高齢者宅に設置される室内端末と、高齢者の安否確認を依頼した複数の依頼者用の端末と、高齢者の安否確認を行うセンターに設置されるセンター端末とが通信回線を介して双方向通信可能に接続される高齢者の安否確認システムであって、
高齢者との通話記録のデータを保存する通話記録データベースと、高齢者の情報が記録されたカルテを保存する個人情報データベースと、を備え、
前記室内端末は、通話相手の画像が表示されるタッチパネル式操作画面と、高齢者を撮影するカメラと、通信相手との通話に用いるマイクとスピーカーとを備え、
前記センター端末は、前記室内端末と通信を行う監視者を撮影するカメラと、通信相手との通話に用いるマイクとスピーカーと、高齢者の画像と当該高齢者の情報を表示する表示画面とを備え、
前記センター端末が前記室内端末を呼び出すと、前記タッチパネル式操作画面に受信用メニュー画面が表示され、前記受信用メニュー画面の１つのメニューにタッチして前記センター端末からの呼び出しに応答すると、前記センター端末と前記室内端末との通話が動画・音声データとして記録され、通話毎に前記通話記録データベースに保存され、
前記室内端末の前記タッチパネル式操作画面にタッチすると、発信用メニュー画面が表示され、前記発信用メニュー画面の１つのメニューにタッチして前記センター端末を呼び出して前記センター端末との通信が開始され、当該通話が動画・音声データとして記録され、前記通話記録データベースに保存され、
前記依頼者用の端末は、前記通話記録データベースと前記個人情報データベースにアクセスしてアクセス権限のある情報を閲覧できる、ことを特徴とする高齢者の安否確認システム。
【請求項２】
前記センター端末が１つの前記室内端末と通信中に、他の室内端末から呼出しがあった場合、前記センター端末が感知できる感知手段を備えることを特徴とする請求項１記載の高齢者の安否確認システム。
【請求項３】
依頼者が前記通話記録データベースを、前記依頼者の端末上でウェブブラウザで閲覧できることを特徴とする請求項１記載の高齢者の安否確認システム。
【請求項４】
前記センター端末からの呼出しに対して、高齢者が前記受信用メニュー画面に表示されるメニューのうち保留に対応するメニューを押した場合、前記タッチパネル式操作画面に保留中であることを示す表示を行うことを特徴とする請求項１記載の高齢者の安否確認システム。
【請求項５】
前記センター端末からの呼出しが所定回数実行され、前記室内端末の前記タッチパネル式操作画面が操作されないときは、自動的に前記室内端末を作動させることを特徴とする請求項１記載の高齢者の安否確認システム。
【請求項６】
前記センター端末の画面は、前記室内端末との通話画面と、前記個人情報データベースに保存されるカルテを表示する過去カルテ閲覧画面と、当日にカルテに入力するカルテ入力画面との３つを同時に表示することを特徴とする請求項１記載の高齢者の安否確認システム。
【請求項７】
前記個人情報データベースに保存されているカルテの過去の情報は、書き込みができず、前記カルテ入力画面により入力されるデータのみが登録及び変更可能であることを特徴とする請求項６記載の高齢者の安否確認システム。
【請求項８】
前記室内端末は、高齢者が就寝する時間を予め設定し、設定した就寝時刻に前記タッチパネル式操作画面が消灯し、点灯するときは、高齢者が前記タッチパネル式操作画面のいずれかに触れることで点灯することを特徴とする請求項１記載の高齢者の安否確認システム。
【請求項９】
前記室内端末がＯＦＦ状態であっても、前記センター端末からの着信時、前記高齢者端末がＯＮになることを請求項１記載の高齢者の安否確認システム。
【請求項１０】
前記依頼者用の端末から前記センター端末に対する連絡事項を入力する画面が表示されることを特徴とする請求項１記載の高齢者の安否確認システム。
【請求項１１】
前記室内端末が前記依頼者用端末を兼ねることを特徴とする請求項１記載の高齢者の安否確認システム。
【請求項１２】
複数の高齢者宅に設置される室内端末と、高齢者の安否確認を依頼した複数の依頼者用の端末と、高齢者の安否確認を行うセンターに設置されるセンター端末とがインターネット回線を介して動画と音声による双方向通信可能に接続され、高齢者との通話記録のデータを保存する通話記録データベースと、高齢者の情報が記録されたカルテを保存する個人情報データベースとを備える高齢者の安否確認システムにおける高齢者の安否確認方法であって、
前記センター端末が前記室内端末を呼出すと、前記室内端末のタッチパネル式操作画面に受信用メニュー画面を表示する呼出しステップと、
前記呼出しステップが行われ、前記受信用メニュー画面に表示されるメニューのうち応答に対応するメニューに触れると、前記センター端末と前記室内端末の双方向通信が開始され、前記双方向通信の内容が録画録音され、前記通話記録データベースに保存され、前記センター端末の画面には、通信中の高齢者のカルテと、カルテの入力画面と、前記室内端末からの画像が表示され、前記室内端末の前記タッチパネル式操作画面に前記センター端末からの画像が表示される通常通信ステップと、
前記呼出しステップが行われ、前記室内端末が応答しないとき、前記センター端末からの呼出しが取り消され、前記センター端末の画面には再呼出しを行うスケジュールが設定されて、再呼出しを行う再呼出し通信ステップと、
前記呼出しステップが行われ、前記受信用メニュー画面に表示されるメニューのうち保留に対応するメニューに触れたとき、前記センター端末からの呼出しが取り消され、前記センター端末の画面と前記室内端末の画面には保留中であることを示す表示がされる呼出し保留ステップと、
前記再呼出し通信ステップを所定回数実行し、再呼出しが行われても前記室内端末が応答しないとき、前記センター端末の制御により前記室内端末を作動させて双方向通信を開始する制御通信ステップと、
前記室内端末のタッチパネル式操作画面に触れると、発信用メニュー画面が表示され、前記発信用メニュー画面に表示されるメニューのうち発信に対応するメニューに触れると、前記センター端末を呼出し、前記センター端末が呼び出されると応答して、双方向通信機能を開始するセンター端末呼出しステップと、
前記依頼者用の端末が前記通話記録データベースと前記個人情報データベースにアクセスしてアクセス権限のある情報を閲覧する閲覧ステップと、を備えることを特徴とする高齢者安否確認方法。
【請求項１３】
前記センター端末呼出しステップにおいて、前記センター端末が前記室内端末と通信中に他の室内端末から前記センター端末に呼出しがある場合、前記センター端末の画面には前記他の室内端末からの呼出しを感知する表示がされることを特徴とする請求項１２記載の高齢者安否確認方法。
【請求項１４】
前記センター端末は前記室内端末を制御可能であり、前記室内端末のタッチ式パネル画面に前記センター端末からの情報を表示するステップを備えることを特徴とする請求項１２記載の高齢者安否確認方法。
【請求項１５】
前記室内端末の前記タッチパネル式操作画面には、操作が行われないとき、待機用画面が表示され、前記タッチパネル式操作画面に触れると前記発信用メニューが表示され、前記センター端末からの呼出しがある場合、前記受信用メニューが表示され、前記待機用画面は任意の画面に設定できることを特徴とする請求項１２記載の高齢者の安否確認方法。
【請求項１６】
前記室内端末を呼出すとき、前記センター端末の前記画面には、前記個人情報データベースに保存され閲覧のみ可能な過去カルテとカルテ入力画面とが表示され、前記室内端末の呼出し時から前記カルテ入力画面への入力が行え、前記双方向通信終了時に前記カルテ入力画面を閉じることを特徴とする請求項１２記載の高齢者の安否確認方法。
【請求項１７】
前記センター端末には担当する複数の高齢者一覧が表示され、前記高齢者一覧から一人を選択すると前記個人情報データベースに保存されるカルテ情報が表示され、該当する前記室内端末に発信するメニューが表示され、発信が行われると、カルテ入力画面が表示されることを特徴とする請求項１２記載の高齢者の安否確認方法。
【発明の詳細な説明】
【技術分野】
【０００１】
本発明は、高齢者宅に設置される室内端末と高齢者の安否確認を行うセンターに設置されるセンター端末と高齢者の安否確認を依頼した依頼者用の端末が通信回線を介して双方通信可能に接続して、高齢者の安否確認を行う高齢者安否確認システムに関するものである。
【背景技術】
【０００２】
高齢化が進むにつれ、高齢者世帯を見守る多様なシステムが提供されている。高齢者宅を訪問して安否確認を行うシステム、高齢者宅にセンサー機器を設置して、センサーの内容により安否確認を行うシステムや夕食等の宅配サービス時の安否確認によるシステムなどが提供されている。
【先行技術文献】
【特許文献】
【０００３】
【特許文献１】実用新案登録３０６４７０４号公報
【発明の概要】
【発明が解決しようとする課題】
【０００４】
訪問型は担当者一人が訪問できる数に限りがあり毎日訪問して確認を行うことは困難であり、センサー機器による安否確認は高齢者の健康状態の把握まではできない、また、宅配サービスはコストがかかるというようにそれぞれ課題があった。また、安否確認を依頼した依頼者は、高齢者の状態を知りたいときは、自ら問い合わせをしたり、担当者からの連絡を待つしかないという状態であった。
【０００５】
そこで、本発明の高齢者安否確認システムは、通信回線を利用して高齢者の状態を高齢者の負担にならないように把握し、訪問が必要な人を見極めて、介護者等の訪問を効率よく行うことを目的とする。また、安否確認を依頼した依頼者がいつでも安否確認対象者の状況を把握できることを目的とする。
【課題を解決するための手段】
【０００６】
本発明は、複数の高齢者宅に設置される室内端末と、高齢者の安否確認を依頼した複数の依頼者用の端末と、高齢者の安否確認を行うセンターに設置されるセンター端末とが通信回線を介して双方向通信可能に接続される高齢者の安否確認システムであって、高齢者との通話記録のデータを保存する通話記録データベースと、高齢者の情報が記録されたカルテを保存する個人情報データベースと、を備える。室内端末は、通話相手の画像が表示されるタッチパネル式操作画面と、高齢者を撮影するカメラと、通信相手との通話に用いるマイクとスピーカーとを備える。センター端末は、室内端末と通信を行う監視者を撮影するカメラと、通信相手との通話に用いるマイクとスピーカーと、高齢者の画像と当該高齢者の情報を表示する表示画面とを備える。センター端末が室内端末を呼び出すと、タッチパネル式操作画面に受信用メニュー画面が表示され、受信用メニュー画面の１つのメニューにタッチしてセンター端末からの呼び出しに応答すると、センター端末と室内端末との通話が動画・音声データとして記録され、通話毎に通話記録データベースに保存される。室内端末のタッチパネル式操作画面にタッチすると、発信用メニュー画面が表示され、発信用メニュー画面の１つのメニューにタッチしてセンター端末を呼び出してセンター端末との通信が開始され、当該通話が動画・音声データとして記録され、通話記録データベースに保存される。依頼者用の端末は、通話記録データベースと個人情報データベースにアクセスしてアクセス権限のある情報を閲覧できる。
【０００７】
ここで、センター端末が１つの室内端末と通信中に、他の室内端末から呼出しがあった場合、センター端末が感知できる感知手段を備えることができる。また、依頼者が通話記録データベースを、依頼者の端末上でウェブブラウザで閲覧できる。
【０００８】
センター端末からの呼出しに対して、高齢者が受信用メニュー画面に表示されるメニューのうち保留に対応するメニューを押した場合、タッチパネル式操作画面に保留中であることを示す表示を行うことが好ましい。
【０００９】
センター端末からの呼出しが所定回数実行され、室内端末のタッチパネル式操作画面が操作されないときは、自動的に室内端末を作動させることができる。
【００１０】
センター端末の画面は、室内端末との通話画面と、個人情報データベースに保存されるカルテを表示する過去カルテ閲覧画面と、当日にカルテに入力するカルテ入力画面との３つを同時に表示することとできる。また、  個人情報データベースに保存されているカルテの過去の情報は、書き込みができず、カルテ入力画面により入力されるデータのみが登録及び変更可能である。
【００１１】
室内端末は、高齢者が就寝する時間を予め設定し、設定した就寝時刻にタッチパネル式操作画面が消灯し、点灯するときは、高齢者がタッチパネル式操作画面のいずれかに触れることで点灯する。また、室内端末がＯＦＦ状態であっても、センター端末からの着信時、高齢者端末がＯＮになるように動作することができる。
【００１２】
依頼者用の端末からセンター端末に対する連絡事項を入力する画面が表示される。また、室内端末が依頼者用端末を兼ねることができる。
【００１３】
本発明の高齢者の安否確認システムにおける高齢者の安否確認方法は、複数の高齢者宅に設置される室内端末と、高齢者の安否確認を依頼した複数の依頼者用の端末と、高齢者の安否確認を行うセンターに設置されるセンター端末とがインターネット回線を介して動画と音声による双方向通信可能に接続され、高齢者との通話記録のデータを保存する通話記録データベースと、高齢者の情報が記録されたカルテを保存する個人情報データベースとを備える高齢者の安否確認システムにおける高齢者の安否確認方法であって、（１）センター端末が室内端末を呼出すと、室内端末のタッチパネル式操作画面に受信用メニュー画面を表示する呼出しステップと、（２）呼出しステップが行われ、受信用メニュー画面に表示されるメニューのうち応答に対応するメニューに触れると、センター端末と室内端末の双方向通信が開始され、双方向通信の内容が録画録音され、通話記録データベースに保存され、センター端末の画面には、通信中の高齢者のカルテと、カルテの入力画面と、室内端末からの画像が表示され、室内端末のタッチパネル式操作画面にセンター端末からの画像が表示される通常通信ステップと、（３）呼出しステップが行われ、室内端末が応答しないとき、センター端末の呼出しが取り消され、センター端末の画面には再呼出しを行うスケジュールが設定されて、再呼出しを行う再呼出し通信ステップと、（４）呼出しステップが行われ、受信用メニュー画面に表示されるメニューのうち保留に対応するメニューに触れたとき、センター端末からの呼出しが取り消され、センター端末の画面と室内端末の画面には保留中であることを示す表示がされる呼出し保留ステップと、（５）再呼出し通信ステップを所定回数実行し、再呼出しが行われても室内端末が応答しないとき、センター端末の制御により室内端末を作動させて双方向通信を開始する制御通信ステップと、（６）室内端末のタッチパネル式操作画面に触れると、発信用メニュー画面が表示され、発信用メニュー画面に表示されるメニューのうち発信に対応するメニューに触れると、センター端末を呼出し、センター端末が呼び出されると応答して、双方向通信機能を開始するセンター端末呼出しステップと、（７）依頼者用の端末が通話記録データベースと個人情報データベースにアクセスしてアクセス権限のある情報を閲覧する閲覧ステップと、を備える。
【００１４】
ここで、センター端末呼出しステップにおいて、センター端末が室内端末と通信中に他の室内端末からセンター端末に呼出しがある場合、センター端末の画面には他の室内端末からの呼出しを感知する表示がされる。また、センター端末は室内端末を制御可能であり、室内端末のタッチ式パネル画面にセンター端末からの情報を表示するステップを備える。
【００１５】
室内端末のタッチパネル式操作画面には、操作が行われないとき、待機用画面が表示され、タッチパネル式操作画面に触れると発信用メニューが表示され、センター端末からの呼出しがある場合、受信用メニューが表示され、待機用画面は任意の画面に設定できる。
【００１６】
室内端末を呼出すとき、センター端末の画面には、個人情報データベースに保存され閲覧のみ可能な過去カルテとカルテ入力画面とが表示され、室内端末の呼出し時からカルテ入力画面への入力が行え、双方向通信終了時にカルテ入力画面を閉じる。
【００１７】
センター端末には担当する複数の高齢者一覧が表示され、高齢者一覧から一人を選択すると個人情報データベースに保存されるカルテ情報が表示され、該当する室内端末に発信するメニューが表示され、発信が行われると、カルテ入力画面が表示される。
【発明の効果】
【００１８】
本発明の高齢者安否確認システムは、安否確認対象者と安否確認を行う担当者がお互いの顔を見ながら通話ができるので、安心しながら対話ができ、顔色、表情、言葉などから安否確認対象者の状態を把握することができる。これにより、介護者等訪問担当者が訪問を必要とする人を決めることができるので、訪問を効率よく行うことができる。また、依頼者用端末から依頼した高齢者の通話記録が保存されているデータベースにアクセスできるので、いつでも高齢者の状況を確認することできる。
【図面の簡単な説明】
【００１９】
【図１】図１は本願発明の実施形態に係る高齢者安否確認システムの全体的な構成を示す図である。
【図２】図２は図１の高齢者宅に設置する室内端末の構成を示すブロック図である。
【図３】図３（ａ）、（ｂ）、（ｃ）は図２の室内端末のタッチ式パネル表示器の表示画面の一例を示す図である。
【図４】図４は図１のセンター端末の構成を示すブロック図である。
【図５】図５は図１の高齢者安否確認システムのセンター端末の表示画面の一例である。
【図６】図６は図１の高齢者安否確認システムの動作を示すフローチャートである。
【発明を実施するための形態】
【００２０】
本発明の高齢者安否確認システムを実施する一形態を図面を参照しながら説明する。実施の形態では、高齢者の安否確認を行うもの（団体、事業所等）を見守りセンターと称し、安否確認を行う対象者として高齢者一人を例にとり説明する。高齢者の安否確認の依頼を見守りセンターに依頼した者を依頼者と称する。実施の形態では、安否確認対象者を高齢者としているが、高齢者に限らず、様々な年代の人を対象とすることができる。
【００２１】
図１は本願発明の実施形態の高齢者安否確認システムの全体的な構成図である。図１に示すように、第１実施形態の高齢者安否確認システム１は、高齢者の安否確認を行う見守りセンターに設置されるセンター端末２と、安否確認対象者の高齢者宅に設置される室内端末３と、高齢者の安否確認を依頼した依頼者が使用する依頼者用端末４とが通信回線を介して双方向通信可能に接続され、それぞれの端末から安否確認対象者に関するデータが保存されるデータストレージ５に接続可能である。見守りセンターには、複数のセンター端末２が設置され、見守り対象者は複数人いて、それぞれの室内に室内端末３が設置されている。データストレージ５には、安否確認対象者の個人情報が記されたカルテが保存される個人情報データベースと、安否確認時の通話を録画・録音したデータが保存される通話記録データベースとが保存されている。データストレージ５は、見守りセンター内部又は外部に設置することができる。
【００２２】
図２は高齢者宅に設置される室内端末３の構成を示すブロック図であり、図３に室内端末のタッチパネル式表示器に表示される画面の一例を示す。
図２に示すように、高齢者宅の室内端末３は、室内端末３の制御を行う室内端末制御部３０と、タッチパネル式表示器３１と、カメラ３２と、マイク３３と、スピーカー３４と、通信インターフェイス３５とを備えている。
【００２３】
安全確認の対象者である高齢者の室内に設置される室内端末３のタッチパネル式表示器３１は、タッチパネル式であり、画面に表示されるメニューに従って画面に触れて操作を行う。高齢者が行う操作は画面に触れるという動作だけで済むので、高齢者でも容易に操作が可能である。
【００２４】
また、室内端末３は電源をオンにするだけで、使用することができるように設計されていて、煩わしい設定を行う必要がない。そして、室内端末３は通信回線を通して電源のオン、オフや、呼出し時に強制的に応答させることができるように制御可能であるので、電源のオフ時に呼出しがあった場合、自動的に電源がオンになるように設定可能である。
【００２５】
また、室内端末３の画面の明るさにより睡眠等の妨げにならないように、室内端末３は端末の画面をオフにする時刻を設定することができる。例えば、就寝する時間を予め設定し、設定した就寝時刻になるとタッチパネル式表示器の画面が消える。再び点灯したい場合は、タッチパネル式表示器の画面にいずれかに触れることで点灯する。
【００２６】
室内端末３により、通信を行う際には、室内端末制御部３０の制御により通信インターフェイス３５を介して通信網に接続し、マイク３３で高齢者の音声を入力し、相手の音声をスピーカー３４から出力し、カメラ３２により高齢者を映して通信相手にその画像を送信し、通信相手の画像がタッチパネル式表示器３１の表示画面に映し出されて、互いに相手の顔を見ながら会話を行う。
【００２７】
図３にタッチパネル式表示器３１に表示される画面の一例を示す。図３（ａ）は、待機メニューであり、通信が行われないときに表示される画面である。この待機メニューでは、日付と時刻と画面の変更案内である「画面にタッチすると、メニュー画面になります」とが表示されている。
【００２８】
そして、例えば、待機メニュー表示時に画面に触れると、図３（ｃ）に示すように、発信用メニューが表示される。発信用メニューは、高齢者から見守りセンターや連絡先として登録している病院を呼出す時に表示され、図３（ｃ）に示すように、見守りセンターを呼出す「見守りセンター呼出し」と病院を呼出す「病院」のメニュー項目と、その他のメニュー項目、例えば、「健康管理」、写真が表示される「写真」、待機メニューに戻る「時計」が表示される。その他のメニュー項目は、任意に設定することが可能である。例えば、誤って発信用メニューを表示してしまったときや、発信用メニューを表示したが見守りセンター又は病院の呼出しをやめたいときに発信用メニューから待機画面など他のメニュー画面に戻る場合に設定されるメニュー項目や、待機画面を変更するメニュー項目など、任意に設定が可能である。
【００２９】
図３（ｃ）に示すように、発信用メニューでは、「見守りセンター呼出し」のメニュー項目を他のメニュー項目より大きく表示し、認識しやいようにしている。高齢者が表示画面を見てメニューが見やすく、必要なメニュー項目をすぐに認識できるのであれば、表示画面におけるメニュー項目の大きさや表示場所、メニュー項目の種類など、適宜任意に設定可能である。
【００３０】
図３（ｂ）は見守りセンターから室内端末３を呼出しときに室内端末３のタッチパネル式表示器３１の画面に表示される受信用メニューである。図３（ｂ）に示すように、受話器のイラストと着信中の文字が画面の上半分に表示され、画面の下半分には、見守りセンターからの呼出しへの対応を選択するメニュー項目「話す」と「後で」が表示される。「話す」のメニュー項目にタッチした場合、見守りセンターとの通信が開始され、「後で」にタッチした場合、見守りセンターからの呼出しが切断される。また、受信用メニューが表示されると、スピーカー３４から着信音がなる。
【００３１】
次に、見守りセンターに設置されるセンター端末２について説明する。見守りセンターには、複数のセンター端末２が設置され、センター端末２を使用して見守りを行う複数の担当者が在籍し、一人の担当者が見守りを行う対象者は複数人いて、予め決定されている。図４に示すように、センター端末２は、センター端末の制御を行うセンター端末制御部２０と、表示器２１と、カメラ２２と、マイク２３と、スピーカー２４と、通信インターフェイス２５と、マウスやキーボード等の入力装置２６とを備えている。
【００３２】
センター端末２から高齢者の室内端末３を呼出して通信を行う際には、センター端末制御部２０の制御により、通信インターフェイス２５を介して通信網に接続し、マイク２３で担当者の音声を入力し、高齢者の音声をスピーカー２４から出力し、カメラ２２により担当者の顔を映して高齢者の室内端末３にその画像を送信し、高齢者の画像が表示器２１の画面に映し出されて、互いに相手の顔を見ながら通話を行う。
【００３３】
図５にセンター端末の表示器２１の画面に表示される画面の一例を示す。図５に示すように、表示画面２１０の左側の高齢者の一覧表示部２１１には担当者が担当している高齢者の名前が表示される。そして、マウス等のポインティングデバイスにより高齢者を一人選択すると、高齢者の情報を記したカルテがカルテ表示部２１２に表示される。ここでカルテとは、高齢者の名前と住所、緊急連絡先の名前と電話番号、既往症、通信時の会話において気付いたことなどが通信日時毎に記されているものである。カルテ表示部２１２には過去に登録された過去カルテと新たに入力する入力画面が表示される。カルテは通信当日に入力されるデータのみが登録及び変更可能であり、過去に入力されたものは変更ができない。カルテはその画面を閉じるとデータストレージ５の個人情報データベースに保存される。
【００３４】
高齢者の一覧から安否確認を行う高齢者を選択して室内端末３を呼出し、呼出された室内端末３の「話す」のメニュー項目がタッチされると、双方向通信が開始され、通信内容の録音・録画が自動で開始される。通信内容は、高齢者の室内端末３からの映像（動画）と音声とセンター端末２側の映像（動画）と音声が一緒に録音・録画され、通話が終了すると、自動的に録画データとして、通話記録データベースに通話記録毎に保存される。
【００３５】
センター端末２と室内端末３との双方向通信中に、センター端末２を使用している担当者が担当する他の高齢者の室内端末から呼出しがあった場合、センター端末２の表示画面には着信があることを知らせる表示、例えば、「緊急着信」等の文字が表示され、通信中であっても、着信に応答することができる１対ｎ通信が可能なように設計されている。室内端末からの呼出しは、緊急の可能性が高いので、担当者が必ず応答できるように画面表示の他に音を鳴らす、ランプが点灯するなど他の手段を併用してもよい。
【００３６】
図５に示す表示画面２１０の画像表示部２１３には、安否確認対象の室内端末３から送られてくる映像が表示される。図５では、高齢者の一覧表示部２１１やカルテ表示部２１２に対して、画像表示部２１３を大きくして、高齢者の顔が表示されるとき、表情をよく見えるようにして、少しの変化にも気付くようにしてある。これにより、通話をしながら、表情、顔色、仕草、言葉等から健康状態を把握することができる。
【００３７】
通話中にカルテ表示部２１２を大きく表示したり、それぞれの表示部の位置を変更したり、表示部の切り換えや変更は任意に設定変更が可能である。
【００３８】
次に、センター端末２から室内端末３を呼出した場合のシステムの動作を図６のフローチャートを用いて説明する。
最初に、センター端末２の表示画面２１０の高齢者の一覧表示部２１１に表示される安否確認対象者の一覧から呼出す人を選択すると、通信インターフェイス２５を介して室内端末３を呼出し（Ｓ１００）、データストレージ５の個人情報データベースから該当のカルテが呼び出され、カルテ表示部２１２に表示される。
【００３９】
室内端末３が呼び出されると、室内端末３のタッチパネル式表示器３１の画面には、図３（ｂ）に示すような受信用メニューが表示され（Ｓ１０１）、受信用メニューの「話す」又は「後で」に触れたかどうかを判断する（Ｓ１０２、Ｓ１０３）。高齢者が受信用メニューの「話す」に触れると、双方向通信が開始され、録画・録音が自動的に開始される（Ｓ１０８）。通話が完了して双方向通信が切断されると、録画・録音が自動的に終了し（Ｓ１０９）、録画・録音が通話データとしてデータストレージ５の通話記録データベースに保存される。
【００４０】
また、センター端末制御部２０は、室内端末３を呼出している時間を計り、所定時間が経過しても、室内端末３の受信用メニューの「話す」又は「後で」のどちらにも触れていないと判断した場合、センター端末２からの呼出しを解除し（Ｓ１０４）、再呼出しの時間を設定する（Ｓ１０５）。再出し回数は予め設定されていて、「話す」又は「後で」のどちらにも触れないとき、再呼出しを所定回数行う（Ｓ１０６）。再呼出しを所定回数行ったが、何も応答がない場合、センター端末制御２０は、室内端末３を強制的に作動させて（Ｓ１０７）、双方向通信を開始し、録画・録音が自動的に開始される（Ｓ１０８）。強制的に室内端末３を作動させて、スピーカー３４から音声による呼びかけや音を発生させても応答がない場合、双方向通信を終了させる（Ｓ１０９）。その後は見守りセンターの規定に従い最適な対応がとられる。
【００４１】
室内端末３の呼出し時に、受信用メニューの「後で」に触れたとき、センター端末２からの呼出しが解除され、センター端末２では再呼出しを行う時間が設定され、室内端末３では保留中であることを示す表示が行われる（Ｓ１１０）。設定時間になるとセンター端末２から室内端末３の再呼出しが行われる（Ｓ１１１）。再呼出しを行っても受信用メニューの「話す」に触れないとき、センター端末２からの呼出しを解除し、見守りセンターの規定に従い対応する（Ｓ１１３）。この場合、呼出し時に「後で」のメニュー項目に触れているため、安否確認対象からの反応がありと判断され、何もメニュー項目に触れない場合と比べて、訪問が必要と判断される可能性が低くなる。
【００４２】
上記の動作の例では、「後で」のメニュー項目に触れると、再呼出しを行い、通話が開始されないと、呼出しを解除していたが、何も応答がないときと同様に、所定回数呼出し後に、強制的に双方向通信を開始してもよい。
【００４３】
次に、依頼者用端末４からデータストレージ５へのアクセスについて説明する。依頼者用端末４はデータストレージ５の通話記録データベースに保存される通話記録を閲覧でき、見守りセンターへの連絡事項を入力することができる。依頼者用端末４では、データ表示と入力が行えればよく、汎用の通信端末、例えば、コンピュータやタブレット端末等を使用することができる。
【００４４】
安否確認システムに接続するときは、インターネット網を介して接続し、ウェブブラウザ上にて、データストレージ５に保存されている通信記録を閲覧する。安否確認システム１に接続するとき、セキュリティ対策として、ログイン情報を入力して、システムへのアクセス権限があるかどうかを判断する。システムにログインすると、「通話記録の閲覧」や「見守りセンターへの連絡」などのメニュー画面が表示される。そして、通話記録の閲覧を選択すると、録画日付の一覧が表示され、所望の日付を選択して録画データを閲覧することができる。録画を見て、気付いたことや見守りセンターへの連絡事項があるときは、メニュー画面の「センターへ連絡」を選択すると、入力画面が表示され、入力が終わると送信ボタンを押して終了する。
【００４５】
依頼者は、見守りセンターからの連絡を待ったり、自ら見守りセンターに問い合わせたりせずに、依頼者用端末４により、いつでもシステム１に接続して依頼した高齢者の通話記録データベースにアクセスして高齢者の状況を確認できるので、利便性が高まると同時に安心感を得ることができる。
【００４６】
また、センター端末２から室内端末３を作動させることができるので、緊急の連絡事項がある場合に作動させて表示することができる。
【００４７】
上記の実施の形態の説明では、高齢者の安否確認を行うように依頼した依頼者がいたが、高齢者が自分の安否確認を見守りセンターに依頼することができる。この場合、安否確認対象者と依頼者が同一となるので、室内端末３が依頼者用端末４を兼ねることができる。
【符号の説明】
【００４８】
１  高齢者安否確認システム
２  センター端末
３  室内端末
４  依頼者用端末
５  データストレージ
２０  センター端末制御部
２１  表示器
２２，３２  カメラ
２３，３３  マイク
２４，３４  スピーカー
２５，３５  通信インターフェイス
２６  入力装置
３０  室内端末制御部
３１  タッチパネル式表示器
【図２】
2014016662.tif 000003
【図４】
2014016662.tif 000004
【図６】
2014016662.tif 000005
【図１】
2014016662.tif 000006
【図３】
2014016662.tif 000007
【図５】
2014016662.tif 000008